【誤訳訂正書】
【提出日】平成27年2月3日(2015.2.3)
【誤訳訂正１】
【訂正対象書類名】特許請求の範囲
【訂正対象項目名】全文
【訂正方法】変更
【訂正の内容】
【特許請求の範囲】
【請求項１】
セルラー通信ネットワーク用の基地局（１００）を動作させる方法であって、
−  前記基地局（１００）が、前記基地局（１００）によってサービスされ、同じ１次無線リソースにスケジュールされた少なくとも２つの端末（１０、１１、１２）を決定するステップ（２００）と、
−  前記基地局（１００）が、前記基地局（１００）に関連付けられた仮想水平面（Ｐ）と前記端末（１０、１１、１２）のうちの特定の１つの端末との間の鉛直角（θ１２）を特徴付けるパラメータに応じて、周波数サブチャネルであって前記１次無線リソースとは異なる２次無線リソースの個別部分を、前記少なくとも２つの端末（１０、１１、１２）に割り当てるステップ（２１０）と
を含み、
前記基地局（１００）が、第１の数の周波数サブチャネル（Ｃｉ）を、前記少なくとも２つの端末（１０、１１、１２）のうちの第１の端末に割り当て、前記基地局（１００）が、第２の数の周波数サブチャネル（Ｃｊ）を、前記少なくとも２つの端末（１０、１１、１２）のうちの第２の端末に割り当てる、
方法。
【請求項２】
前記第１の数の周波数サブチャネル（Ｃｉ）と前記第２の数の周波数サブチャネル（Ｃｊ）は隣接する周波数サブチャネル（Ｃｉ、Ｃｊ）である、請求項１に記載の方法。
【請求項３】
前記基地局が、前記基地局の傾斜角を制御できるアンテナ（１０２）を備え、前記基地局（１００）が、前記鉛直角（θ１０、．．、θ１２）を特徴付ける前記パラメータに応じて、単一の端末（１０、１１、１２）用および／または端末のグループ用の個別の傾斜角を使用する、請求項１に記載の方法。
【請求項４】
前記１次無線リソースが伝送時間スロットである、請求項１乃至３のいずれか１項に記載の方法。
【請求項５】
前記基地局（１００）が、前記端末（１０、１１、１２）に関連付けられた前記鉛直角（θ１２）を特徴付ける前記パラメータに応じて、前記少なくとも２つの端末（１０、１１、１２）をソートしてソートされた端末（１０、１１、１２）のリストを取得し、前記基地局（１００）が、ソートされた端末（１０、１１、１２）の前記リストに応じて前記２次無線リソースの前記部分を割り当てる、請求項１乃至４のいずれか１項に記載の方法。
【請求項６】
前記２次無線リソースを割り当てる前記ステップ（２１０）が、前記基地局（１００）と個別の端末（１０、１１、１２）との間の実際の伝送品質を特徴付けるフィードバック情報に依存しない、あらかじめ決められた方式に従って実行される、請求項１乃至５のいずれか１項に記載の方法。
【請求項７】
前記あらかじめ決められた方式が、鉛直角（θ１２）を特徴付ける前記パラメータの値および／または値の範囲を、前記２次無線リソースのそれぞれの部分と関連付ける、請求項６に記載の方法。
【請求項８】
セルラー通信ネットワーク用の基地局（１００）であって、
−  前記基地局（１００）によってサービスされ、同じ１次無線リソースにスケジュールされた少なくとも２つの端末（１０、１１、１２）を決定し（２００）、
−  前記基地局（１００）に関連付けられた仮想水平面（Ｐ）と前記端末（１０、１１、１２）のうちの特定の１つの端末との間の鉛直角（θ１２）を特徴付けるパラメータに応じて、周波数サブチャネルであって前記１次無線リソースとは異なる２次無線リソースの個別部分を、前記少なくとも２つの端末（１０、１１、１２）に割り当てる（２１０）
ように構成され、
第１の数の周波数サブチャネル（Ｃｉ）を、前記少なくとも２つの端末（１０、１１、１２）のうちの第１の端末に割り当て、第２の数の周波数サブチャネル（Ｃｊ）を、前記少なくとも２つの端末（１０、１１、１２）のうちの第２の端末に割り当てるように構成された、
基地局（１００）。
【請求項９】
前記基地局の傾斜角を制御できるアンテナ（１０２）を備え、前記鉛直角（θ１２）を特徴付ける前記パラメータに応じて、単一の端末（１０、１１、１２）用および／または端末のグループ用の個別の傾斜角を使用するように構成された、請求項８に記載の基地局（１００）。
【請求項１０】
前記１次無線リソースが伝送時間スロットである、請求項８または９に記載の基地局（１００）。
【請求項１１】
前記端末（１０、１１、１２）に関連付けられた前記鉛直角（θ１２）を特徴付ける前記パラメータに応じて、前記少なくとも２つの端末（１０、１１、１２）をソートしてソートされた端末（１０、１１、１２）のリストを取得し、ソートされた端末（１０、１１、１２）の前記リストに応じて前記２次無線リソースの前記部分を割り当てるように構成された、請求項８乃至１０のいずれか１項に記載の基地局（１００）。
【請求項１２】
前記２次無線リソースを割り当てる前記ステップ（２１０）を、前記基地局（１００）と個別の端末（１０、１１、１２）との間の実際の伝送品質を特徴付けるフィードバック情報に依存しない、あらかじめ決められた方式に従って実行するように構成された、請求項８乃至１１のいずれか１項に記載の基地局（１００）。
【請求項１３】
前記あらかじめ決められた方式が、鉛直角（θ１２）を特徴付ける前記パラメータの値および／または値の範囲を、前記２次無線リソースのそれぞれの部分と関連付ける、請求項１２に記載の基地局（１００）。
【請求項１４】
前記２次無線リソースを割り当てる前記ステップ（２１０）を、他の基地局とは異なる前記あらかじめ決められた方式の別形に従って実行するように構成された、請求項１２に記載の基地局（１００）。
【請求項１５】
前記あらかじめ決められた方式を実行するために表を使用し、前記基地局（１００）の識別子によって決まる前記表の中のオフセットを利用するように構成された、請求項１２に記載の基地局（１００）。
【誤訳訂正２】
【訂正対象書類名】明細書
【訂正対象項目名】全文
【訂正方法】変更
【訂正の内容】
【発明の詳細な説明】
【発明の名称】基地局を動作させる方法および基地局
【技術分野】
【０００１】
本発明は、セルラー通信ネットワーク用の基地局を動作させる方法に関する。本発明はさらに、セルラー通信ネットワーク用の基地局に関する。
【背景技術】
【０００２】
セルラー通信ネットワーク用の従来の基地局は、現場で基地局の設置中に取り付けられ、調整された１つまたは複数のアンテナを有するアンテナ・システムを備える。特に、アンテナ特有のビームパターンの主ビーム方向と水平面との間の傾斜角は、設置中に保守技術員によって手動で調整される。設置後、傾斜角は固定されたままになるか、または、例えば１日中トラフィック負荷に対応するなど、長期スケールで電子的に調整される。しかしながら、この従来の設置により、概ね同じ傾斜角がセル内のすべての端末に適応される。
【発明の概要】
【発明が解決しようとする課題】
【０００３】
基地局の動作特性に関する柔軟性を向上させる、より高度な基地局および基地局を動作させる方法を提供する必要がある。
【課題を解決するための手段】
【０００４】
本発明によれば、基地局を動作させる上述の方法に関して、この目的は、基地局が、基地局によってサービスされ、同じ１次無線リソースにスケジュールされた少なくとも２つの端末を決定すること、基地局が、前記基地局に関連付けられた仮想水平面と前記端末のうちの特定の１つの端末との間の鉛直角を特徴付けるパラメータに応じて、前記１次無線リソースとは異なる２次無線リソースの個別部分を、前記少なくとも２つの端末に割り当てることによって実現される。
【０００５】
鉛直角は、最適の下り傾斜角または傾斜角として解釈することができ、基地局によって実装されると、基地局のアンテナのビームパターンのメインローブが特定の端末に方向付けられるので、前記特定の端末に関して最適の伝送状態をもたらす。前記鉛直角を特徴付けるパラメータに応じて、第２の無線リソースを前記少なくとも２つの端末に割り当てることにより、隣接するセル間の干渉を著しく効率的に低減することを実現することができる。
【０００６】
一実施形態によれば、鉛直角は、例えば、基地局と端末との間の最も特徴的な伝搬経路（すなわち、最大の受信信号電力を供給する経路）の方向と一致する可能性がある。マルチパス伝搬の反射および他の影響が原因で「直接の見通し線」タイプの方向が必ずしも最も特徴的な伝搬経路（すなわち、最大の受信信号電力を供給する経路）に関連付けられないので、鉛直角によって特徴付けられた基地局と端末との間の方向は、特にマルチパス伝搬の影響が原因で、「直接の見通し線」タイプの方向と一致する角度とは異なることに留意すべきである。
【０００７】
有利なことに、本実施形態による方法は、フィードバック情報または伝送品質情報の評価を必要としない。さらに、本実施形態による方法は、任意の基地局間通信、例えば隣接する基地局間の通信を必要としない。
【０００８】
好ましい実施形態によれば、前記基地局は、この基地局の傾斜角を制御できるアンテナを備え、前記基地局は、前記鉛直角を特徴付ける前記パラメータに応じて、単一の端末用および／または端末のグループ用の個別の傾斜角を使用する。したがって、個別の端末は、基地局アンテナのビームパターンをそれぞれの端末に適応させることにより、基地局によって最適にサービスすることができる。しかしながら、アンテナ・システムが傾斜角の比較的少ないさまざまな値のみを実装できる場合、基地局によって検討中の端末（すなわち、同じ１次無線リソースにスケジュールされたそれらの端末）は、それらそれぞれの鉛直角に従ってさまざまな端末グループに分類される。すなわち、同様の鉛直角を有する複数の端末を、基地局が使用できる個別の傾斜角のうちの１つに関連付けられた１つの端末グループに入れることができる。
【０００９】
特に好ましい実施形態によれば、前記１次無線リソースは時間、好ましくは伝送時間スロットであり、前記２次無線リソースは周波数、好ましくは周波数サブチャネルである。例えば、ＬＴＥ規格に従うセルラー通信ネットワークは、１次無線リソースおよび２次無線リソースとして、伝送時間スロットおよび周波数サブチャネルの使用を提供する。しかしながら、本実施形態は、この特定の無線リソースの組合せに限定されない。例えば、上述されたように同じ時間スロットの間サービスされるユーザ／端末に（例えば、周波数サブチャネルなどの）周波数リソースを割り当てることに加えて、本実施形態による原理は、一般に、さまざまな時間リソース（すなわち、時間スロット）を同じ周波数リソースでサービスされる（すなわち、この場合、周波数が１次無線リソースと見なされる）ユーザ／端末に割り当てることによっても適応することができる。
【００１０】
時間および周波数とは別に、好ましくは直交符号であるが、符号も、本発明の意味では無線リソースと見なすことができる。したがって、第１の無線リソースは周波数であり、第２の無線リソースは特定の符号である、などの場合がある。この場合、無線リソース「符号」は、鉛直角に応じて同じ周波数リソースでサービスされるさまざまな端末に割り当てられる。
【００１１】
さらに好ましい実施形態によれば、前記基地局は、第１の数の、好ましくは隣接する、周波数サブチャネルを、少なくとも２つの端末のうちの第１の端末に割り当て、前記基地局は、第２の数の、好ましくは隣接する、周波数サブチャネルを、少なくとも２つの端末のうちの第２の端末に割り当てる。例えば、ＬＴＥシステム内では、リソース・ブロック（ＲＢ）を、本実施形態による前記周波数サブチャネルを表すために使用することができる。第１の数および／または第２の数の周波数サブチャネルは、必ずしもお互いに隣接していない。他のタイプの割り当て、すなわち隣接していないサブチャネルを備えることも可能である。
【００１２】
さらに好ましい実施形態によれば、前記基地局は、前記端末に関連付けられた前記鉛直角を特徴付ける前記パラメータに応じて、前記少なくとも２つの端末をソートしてソートされた端末のリストを取得し、前記基地局は、ソートされた端末の前記リストに応じて前記２次無線リソースの前記部分を割り当て、このことは特に効率的な割り当て技法を表す。
【００１３】
一般に、前記鉛直角を特徴付ける前記パラメータは、例えば、（信号強度測定、遅延測定、などを使用して）基地局と特定の端末との間の相対距離を決定することにより、例えば、予測および／または推定することができる。到達目標予測技法も利用することができる。
【００１４】
さらに好ましい実施形態によれば、前記２次無線リソースを割り当てる前記ステップは、基地局と個別の端末との間の実際の伝送品質を特徴付けるフィードバック情報に特に依存しない、あらかじめ決められた方式に従って実行される。したがって、本実施形態は、隣接するセル間の干渉全体を減少させる意味で、さまざまな端末に２次無線リソースを分配する、非常に簡単な分散型測定法を表す。例えば、同じ２次無線リソース（例えば、周波数帯域）を、セル境界領域内にある、すなわち隣接する基地局に近いそれらの端末の無線リソースに割り当てないように、隣接する基地局が本実施形態による方式の異なる別形を利用する場合、それは特に有利である。このことは、例えば、隣接する基地局が本方式の同一の別形を利用しないように、本発明の無線リソース割り当て方式に異なる「開始値」を提供することにより基地局を配備すると、保証することができる。
【００１５】
さらに好ましい実施形態によれば、前記あらかじめ決められた方式は、鉛直角を特徴付ける前記パラメータの値および／または値の範囲を、前記２次無線リソースのそれぞれの部分と関連付ける。
【００１６】
一般に、傾斜角の調整は、さまざまなやり方で実行することができる。第１に、基地局のアンテナが、そのビームパターンが前記アンテナのアンテナ素子に供給される少なくとも１つの信号の位相を変更することによって動的に制御できる（通常、対応するアンテナ制御装置によって行われる）位相制御アンテナである場合、傾斜角の調整は、ビームパターンを同様に制御することによってできる限り実現することができる。すなわち、アンテナは、前記ビームパターンのメインローブの軸と水平面との間の傾斜角を変更するために、電気的に制御することができる。
【００１７】
第２に、基地局のアンテナが位相制御アンテナではなく、むしろ、ビームパターン、および特にメインローブ軸の傾斜角を電気的に制御する可能性がない従来のアンテナである場合、本実施形態の意味での傾斜角調整は、例えば、ビームパターンのメインローブによって画定された伝搬方向に実質的に垂直に延在する水平面内の軸などのあらかじめ決められた軸のまわりでアンテナを回転させる機械的な駆動手段によって達成することができる。
【００１８】
第３に、アンテナ素子用のアンテナ内のさまざまなフィーダ・ネットワーク、および利用可能なフィーダ・ネットワーク間の機械的または電気的な切り替えによる適切なアンテナの選択によって実現された、限定された数の調整可能な下り傾斜を有するアンテナも、一実施形態による傾斜角の調整に利用することができる。
【００１９】
当然、前述の方法の組合せも傾斜角の調整に利用することができる。
【００２０】
本発明の目的に対するさらなる解決策は、請求項９による基地局によって与えられる。本発明のさらに有利な実施形態は、従属項で与えられる。
【００２１】
本発明のさらなる特徴、態様および利点が、図面を参照して以下の詳細説明で与えられる。
【図面の簡単な説明】
【００２２】
【図１】一実施形態による通信シナリオの簡略化されたブロック図である。
【図２】一実施形態による基地局の簡略化されたブロック図である。
【図３】本実施形態による方法によって利用される周波数サブチャネルを概略的に描写する図である。
【図４】本実施形態による方法の簡略化されたフローチャートである。
【図５ａ】一実施形態による１つのリソース割り当て方式を描写する図である。
【図５ｂ】一実施形態による別のリソース割り当て方式を描写する図である。
【図５ｃ】一実施形態によるさらに別のリソース割り当て方式を描写する図である。
【発明を実施するための形態】
【００２３】
図１は、一実施形態による通信シナリオの簡略化されたブロック図を描写する。
【００２４】
セルラー通信ネットワークの基地局１００が描写される。基地局１００は、それ自体既知の方式である無線セル１１０の形態で無線有効範囲を提供することにより、いくつかの端末１０、１１、１２をサービスすることができる。例えば、基地局１００は、以下の規格のうちの少なくとも１つに従って動作することができる。ＧＳＭ（グローバル・システム・フォア・モバイル・コミュニケーション）、ＵＭＴＳ（ユニバーサル・モバイル・テレコミュニケーション・システム）、ＬＴＥ（ロング・ターム・エボリューション）、ＷｉＭａｘ（ワールドワイド・インターオペラビリティ・フォア・マイクロウェーブ・アクセス）、ＷＬＡＮ（ワイヤレス・ローカル・エリア・ネットワーク）。さらなる例示的な説明のために、基地局１００はＬＴＥ互換の基地局と想定する。
【００２５】
通信ネットワークのさらなる隣接する無線セル１２０、１３０も図１によって描写され、理解しやすいように図１に描写されていない、さらなる基地局によって同様にサービスすることができる。しかしながら、さらなる隣接する無線セル１２０、１３０を提供するさらなる基地局は、第１の基地局１００と同一場所に配置することができる。
【００２６】
一般に、もっとさらなる基地局およびそれらに関連付けられたセルもネットワーク内に提供することができる。それらのさらなる装置およびセルは図１の中で破線によって示されているだけで、セル１１０、１２０、１３０と一緒に通信ネットワーク用の概ね六角形のセルパターンを形成する。
【００２７】
図２から推測できるように、基地局１００は、今のところその特徴的なビームパターンが端末１２に向けられている楕円形によって象徴されるアンテナ１０２を備える。すなわち、ビームパターンのメインローブは、基地局１００と端末１２との間の最も特徴的な伝搬経路（すなわち、最大の受信信号電力を供給する経路）の方向ｌｏｓ１２に現在位置合せされている。前記基地局１００に関連付けられた仮想水平面Ｐと前記端末１２との間の関連する鉛直角θ１２が取得される。明らかに、鉛直角θ１２は、とりわけ、基地局１００と端末１２との間の距離に依存する。さらに、端末１２の垂直位置も、当然、鉛直角θ１２に影響する可能性がある。
【００２８】
一般に、鉛直角θ１２に関連付けられた方向ｌｏｓ１２は、マルチパス伝搬などの影響が原因で必ずしも装置１００と装置１２との間の「見通し線」の方向を表さず、基地局１００と端末１２との間の最も特徴的な伝搬経路（すなわち、最大の受信信号電力を供給する経路）は、装置１００と装置１２との間の「見通し線」の方向とは異なる鉛直角θ１２を必要とする場合がある。しかしながら、今のところ、図示および簡略化の目的で、図２は、鉛直角θ１２と、基地局１００と端末１２との間の「見通し線」の方向とがお互いにおおよそ等しい状況を描写する。
【００２９】
例えば、基地局１００から今のところ遠く離れているさらなる端末１０（また図１を参照）は、同様に別の関連付けられた鉛直角θ１０＜θ１２を有する。
【００３０】
一般に、端末１２に関連付けられた鉛直角θ１２は、アンテナ１０２用の最適の下り傾斜角と一致する。すなわち、基地局１００がそのアンテナパターンを制御してそれぞれの鉛直角θ１２を傾斜角として見なした場合、特定の端末１２との通信用の最適の通信状態が保証される。
【００３１】
好ましい実施形態によれば、基地局１００は、２００（図４のフローチャート参照）で、基地局１００によってサービスされ、同じ１次無線リソースにスケジュールされた少なくとも２つの端末１０、１１、１２を決定し、２１０（図４）で、それぞれの端末１０、１１、１２の前記鉛直角θ１２を特徴付けるパラメータに応じて、前記１次無線リソースとは異なる２次無線リソースの個別部分を前記少なくとも２つの端末１０、１１、１２に割り当てるように構成される。
【００３２】
ＬＴＥシステムの例示的な環境では、１次無線リソースは時間、好ましくはＬＴＥ規格に従う伝送時間スロットであり、前記２次無線リソースは周波数、好ましくはＬＴＥ規格に従う周波数サブチャネルである。
【００３３】
すなわち、第１のステップ２００（図４）では、基地局は、どの端末１０、１１、１２（図１）が、例えば、同じ伝送時間スロット（＝「１次無線リソース」）にスケジュールされるかを決定する。次いで、第２のステップ２１０（図４）では、基地局は、端末の特定の鉛直角θ１２、．．に応じて２次無線リソース、すなわち周波数サブチャネルの個別部分を前記端末１０、１１、１２に割り当てる。
【００３４】
例えば、ステップ２００では、基地局１００は、２つの端末１０、１１が同じ伝送時間スロットにスケジュールされることを決定する。したがって、２次無線リソース、すなわち周波数サブチャネルの割り当ては以下のように実行される。
【００３５】
基地局１００は、端末１０、１１のうちのどちらが最小の鉛直角を有するかを判定する。今のところ、端末１０は無線セル１１０（図１）の境界にあるので、端末１０が最小の鉛直角θ１０を有する。したがって、別の端末１１がより大きい鉛直角を有すると判定される。
【００３６】
それらの鉛直角に関する端末１０、１１のこの順序に応じて、基地局１００は、同じ１次無線リソース、すなわち伝送時間スロットで実行される将来のデータ通信用に、周波数サブチャネルを端末に割り当てる。例えば、周波数サブチャネルの第１のグループＣｉ、図３参照、は端末１０に割り当てられ、周波数サブチャネルの第２のグループＣｊ、図３参照、は端末１１に割り当てられる。当然、それぞれのグループＣｉ、Ｃｊの中の周波数サブチャネルの数は、必ずしも他の端末に割り当てられた他のグループと同じではない。それ自体既知であるように、割り当てられた周波数サブチャネルの数は、実際は必要なデータ・レートなどによって決まる可能性がある。
【００３７】
上記で説明された端末１０、１１の鉛直角に応じたリソース割り当ては特に効率的であり、干渉を減少させるために基地局１００が隣接する基地局と調整する必要がない。
【００３８】
さらに、本実施形態によれば、基地局１００は、基地局１００の傾斜角を変更する必要が全くない。基地局１００は、むしろ、基地局と端末との間の相対位置から生じる鉛直角に応じて、すなわちそれぞれの端末に個別の傾斜角を提供しないで、２次無線リソースの本発明の割り当てを実行する「だけ」であり得る。
【００３９】
しかしながら、さらに有利な実施形態によれば、基地局１００は、好ましくは端末ごとに基づいて、基地局１００の傾斜角を適応させることもできる。この実施形態とともに、図３により上記に説明されたサブチャネルの割り当てに加えて、基地局１００は、伝送用の特定の傾斜角を端末１０、１１にさらに提供し、傾斜角は、端末の位置から生じる実際の鉛直角と同一か、またはそれらに近くなるように選ばれる。
【００４０】
一実施形態によれば、前記基地局１００は、単一の端末１０、１１、１２用の個別の傾斜角を使用するように構成される。これは、例えば、基地局が、傾斜角を広範囲の傾斜角値の範囲内に制御することを可能にする電気的な傾斜角制御を備える場合に行うことができる。
【００４１】
しかしながら、基地局１００が比較的少ないさまざまな傾斜角だけを提供できる場合、同様の鉛直角を有する端末のグループは、同じ傾斜角でサービスすることができる。
【００４２】
一実施形態によれば、前記基地局１００は、前記少なくとも２つの端末１０、１１、１２に関連付けられた前記鉛直角θ１２、．．を特徴付ける前記パラメータに応じて、前記少なくとも２つの端末１０、１１、１２をソートしてソートされた端末１０、１１、１２のリストを取得し、ソートされた端末１０、１１、１２の前記リストに応じて前記２次無線リソースの前記部分を割り当てるように構成される。すなわち、各端末１０、１１、１２は、その関連する鉛直角θ１０、．．、θ１２によってソートされる。
【００４３】
一般に、前記鉛直角を特徴付ける前記パラメータは、例えば、（信号強度測定、遅延測定、などを使用して）基地局１００と特定の端末１０との間の相対距離を決定することにより、例えば、予測および／または推定することができる。到達目標予測技法も利用することができる。
【００４４】
ソートするステップの後、２次無線リソースの割り当てが実行される。
【００４５】
さらに好ましい実施形態によれば、前記２次無線リソースを割り当てる前記ステップ２１０は、基地局１００と個別の端末１０、１１、１２との間の実際の伝送品質を特徴付けるフィードバック情報に特に依存しない、あらかじめ決められた方式に従って実行される。したがって、本実施形態は、隣接するセル間の干渉全体を減少させる意味で、さまざまな端末１０、１１、１２に２次無線リソースを分配する、非常に簡単な分散型測定法を表す。
【００４６】
例えば、同じ２次無線リソース（例えば、周波数帯域）をセル境界領域内にある、すなわち隣接する基地局に近いそれらの端末の無線リソースに割り当てないように、隣接する基地局が本実施形態による方式の異なる別形を利用する場合、それは特に有利である。このことは、例えば、隣接する基地局が本方式の同一の別形を利用しないように、本発明の無線リソース割り当て方式に異なる「開始値」を提供することにより基地局を配備すると、保証することができる。
【００４７】
例えば、基地局１００（図１）が２つのさらなる基地局（図示せず）と同一場所に配置されることを考慮すると、３つの隣接するセル１１０、１２０、１３０のそれぞれは、前記基地局のうちの１つによってサービスされる。３つの基地局すべてが本実施形態による方法に準拠する場合、それらの基地局は、端末に関連するそれぞれの鉛直角に従って２次無線リソースをそれらの端末に割り当てることができる。一般に、この割り当てステップは、各基地局によって個別に、すなわちセルごとに別々に独立して実行される。しかしながら、干渉をさらに低減するために、一実施形態によれば、３つの考えられる基地局のそれぞれは、本発明の割り当て方式の少しだけ異なる別形を適用する。
【００４８】
例えば、第１の基地局１００は、図５ａによって描写された表を利用して特定のリソース・ブロック（例えば、ＬＴＥシステムの周波数サブチャネル）を２次リソースとしてその端末１０、１１、１２に割り当てる。図５ａの表から、値θ０から値θ１までの範囲の鉛直角θを有する端末は、（ＲＢ０からＲＢ５０のリソース・ブロックの範囲全体をこのように備える１０ＭＨｚ帯域幅のＬＴＥシステムを想定して）リソース・ブロックＲＢ０からＲＢ１６が割り当てられると推測することができる。値θ１から値θ２までの範囲の鉛直角θを有する端末は、リソース・ブロックＲＢ１７からＲＢ３２が割り当てられる。値θ２から値θ３までの範囲の鉛直角θを有する端末は、リソース・ブロックＲＢ３３からＲＢ５０が割り当てられる。
【００４９】
例えば、第１の基地局１００の無線セル１１０の中で、第１の端末１０は２次リソースＲＢ０．．ＲＢ１６が割り当てられ、第２の端末１１は２次リソースＲＢ１７．．ＲＢ３２が割り当てられ、第３の端末１２は２次リソースＲＢ３３．．ＲＢ５０が割り当てられる。
【００５０】
しかしながら、隣接する無線セル１２０を端末２０、２１、２２に提供する第２の基地局（図示せず）は、割り当て方式の少しだけ異なる別形、すなわち図５ａの代わりに図５ｂによる表を使用する。図に示すように、図５ｂの第２の表は、最小の鉛直角用のＲＢ１７からＲＢ３２で始まるので、リソース・ブロックに関して図５ａのシフトされた別形である。
【００５１】
したがって、第２の無線セル１２０では、その基地局（図示せず）により、第１の端末２０は２次リソースＲＢ１７．．ＲＢ３２が割り当てられ、第２の端末２１は２次リソースＲＢ３３．．ＲＢ５０が割り当てられ、第３の端末２２は２次リソースＲＢ０．．ＲＢ１６が割り当てられる。
【００５２】
同様に、また第１の基地局１００と同一場所に配置された第３の基地局（図示せず）は、図５ｃによって描写された表による周波数リソースをその端末３０、３１、３２に割り当てる。したがって、有利なことに、セル間干渉が低減されることが保証される。
【００５３】
事実上、鉛直角は、通常、端末のその基地局への距離と相互に関連するので、上記に説明された割り当て方式は、２次無線リソースの距離に依存する分配／割り当てがセル内で実行されることを保証する。図５ａから５ｃによって例示された前記割り当て方式の、隣接する基地局間での置換を利用することにより、リソース割り当てに関係する前記基地局の通信を必要とせずに、干渉を低減することが可能である。
【００５４】
本実施形態によるリソース割り当ては、むしろ、他の基地局と無関係に、各基地局１００によって個別に実行することができる。隣接する基地局がそれぞれ割り当て用の異なる２次リソース値で開始することを保証するために、例えば、特定の基地局１００の識別子によって決まる、それぞれの表（図５ａ）内のオフセットを利用することができる。
【００５５】
特に好ましい実施形態によれば、上記ですでに説明されたように、前記１次無線リソースは時間、好ましくは伝送時間スロットであり、前記２次無線リソースは周波数、好ましくは周波数サブチャネルである。例えば、ＬＴＥ規格に従うセルラー通信ネットワークは、１次無線リソースおよび２次無線リソースとして、伝送時間スロットおよび周波数サブチャネルの使用を提供する。しかしながら、本実施形態は、この特定の無線リソースの組合せに限定されない。例えば、上述されたように同じ時間スロットの間サービスされるユーザ／端末に（例えば、周波数サブチャネルなどの）周波数リソースを割り当てることに加えて、本実施形態による原理は、一般に、さまざまな時間リソース（すなわち、時間スロット）を同じ周波数リソースでサービスされる（すなわち、この場合周波数が１次無線リソースと見なされる）ユーザ／端末に割り当てることによっても適応することができる。
【００５６】
時間および周波数とは別に、好ましくは直交符号であるが、符号も、本発明の意味では無線リソースと見なすことができる。したがって、第１の無線リソースは周波数であり、第２の無線リソースは特定の符号である、などの場合がある。この場合、無線リソース「符号」は、鉛直角に応じて同じ周波数でサービスされるさまざまな端末に割り当てられる。
【００５７】
上述された例は、２次無線リソースを端末に割り当てるための特に簡単な割り当て規則を有する。しかしながら、より複雑な割り当て方式も適用することができる。
【００５８】
上記に説明された実施形態は、セルラー通信ネットワークの基地局１００に限定されない。むしろ、本発明の原理は、複数の端末にサービスし、１次無線リソースおよび２次無線リソースを利用する任意の基地局に適用することができる。通常、本原理は、ＧＳＭ−基地局、ＵＭＴＳ−基地局、ＬＴＥ−基地局、およびＷｉＭＡＸ−基地局に適用される。
【００５９】
説明および図面は、本発明の原理を示すにすぎない。したがって、本明細書に明確には記載および図示されていないが、本発明の原理を具現化し、その精神および範囲に含まれるさまざまな構成を、当業者が考案できることが理解されよう。さらに、本明細書に列挙されたすべての例は、主として、本発明の原理および発明者によって当技術分野の促進に寄与された概念を読者が理解する際に助けとなる教育的な目的のためのみを明確に意図しており、そのような詳細に列挙された例および条件に限定されるものではないと解釈されるものである。さらに、本明細書において、本発明の原理、態様および実施形態、ならびにそれらの特定の例を列挙するすべての記述は、それらの均等物を包含するものである。
【００６０】
「プロセッサ」とラベル付けされた任意の機能ブロックを含む、図に示されたさまざまな構成要素の機能は、専用のハードウェア、ならびに適切なソフトウェアに関連するソフトウェアを実行する能力があるハードウェアを使用することによって提供することができる。プロセッサによって提供される場合、機能は単一の専用プロセッサにより、単一の共用プロセッサにより、または、それらのいくつかを共用できる複数の単体プロセッサによって、提供することができる。さらに、「プロセッサ」または「コントローラ」という用語の明確な使用は、ソフトウェアを実行する能力があるハードウェアを排他的に指すと解釈すべきでなく、限定せずに、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェア記憶用リード・オンリ・メモリ（ＲＯＭ）、ランダム・アクセス・メモリ（ＲＡＭ）、および不揮発性ストレージを暗黙的に含むことができる。従来および／または特注の他のハードウェアも含むことができる。同様に、図に示された任意のスイッチも概念的であるにすぎない。それらの機能は、プログラム・ロジックの動作を介して、専用ロジックを介して、プログラム制御と専用ロジックとの相互作用を介して、または、手動でも遂行することができ、文脈からより詳細に理解されるように、特定の技法は実装者によって選択可能である。